(57)【要約】【課題】名刺の画像情報をコンパクトに持ち運べるようにする。名刺の表裏の情報を同時に確認可能とする。【解決手段】表示機器４は、名刺の画像情報を保存する情報記憶部と、表示機器４の表裏二面に設けられる表示パネル１９とを備える。各表示パネル１９は、名刺に相当する大きさの長方形状とされ、端辺から外方へ延出してフレキシブルプリント基板２０が設けられる。各フレキシブルプリント基板２０を各表示パネル１９の裏側へ折り返して、一対の表示パネル１９間の隙間において、各表示パネル１９の駆動回路２１とそれらに接続される共通の主回路基板２２とが配置される。【選択図】図３
2011186128.tif 000002
【特許請求の範囲】
【請求項１】
名刺を画像情報として読み取る読取機器と、この読取機器による前記画像情報を前記名刺の原寸大で表示する表示機器とが別体に構成され、
前記表示機器は、前記画像情報を保存する情報記憶部と、前記表示機器の表裏二面に設けられる表示パネルとを備え、
前記各表示パネルは、前記名刺に相当する大きさの長方形状とされ、その隣接する二辺から外方へ延出して、それぞれフレキシブルプリント基板が設けられ、
前記各表示パネルは、前記隣接する二辺の位置を互いにずらして背中合わせで配置され、
前記各フレキシブルプリント基板を前記各表示パネルの裏側へ折り返して、一対の前記表示パネル間の隙間において、前記各表示パネルの駆動回路とそれらに接続される共通の主回路基板とが配置された
ことを特徴とする名刺情報保存機器。
【請求項２】
前記表示機器の操作部を側面に設けるか、これに代えてまたはこれに加えて、表裏の前記表示パネルの一方および／または双方にタッチパネルを設けた
ことを特徴とする請求項１に記載の名刺情報保存機器。
【請求項３】
前記情報記憶部に前記名刺の表面の画像情報と裏面の画像情報とを対応付けて保存しておくことで、表裏の両画像情報を同時に前記各表示パネルに表示する
ことを特徴とする請求項１または請求項２に記載の名刺情報保存機器。
【発明の詳細な説明】
【技術分野】
【０００１】
本発明は、受け取った名刺を少なくとも画像データとして保存し、持ち運びすることで、外出先でも所望の名刺を見ることができる名刺情報保存機器に関するものである。
【背景技術】
【０００２】
周知のとおり、ビジネスにおいて、長方形状の紙片からなる名刺のやり取りがなされる。名刺を受け取った場合の整理方法として、現物をそのまま保存する場合と、電子データにして保存する場合とがある。
【０００３】
現物をそのまま保存する場合、多数の透明ポケットを有する名刺ホルダーや、名刺用のカードボックスなどが利用される。一方、電子データとして保存する場合、キーボードなどを用いて名刺の情報を入力するか、イメージスキャナを用いて名刺をスキャンした後、その画像情報からＯＣＲと呼ばれる文字認識ソフトを用いてテキストデータを取得している。そして、このようにして得られた情報は、住所録などとして管理され、所望によりＰＤＡと呼ばれる携帯情報端末などに入れて持ち運ぶこともできる。
【０００４】
また、下記特許文献１に開示されるように、名刺読み取り装置（２）において名刺のイメージデータを読み取り、そのデータを専用の名刺電子ファイル手帳（１）に入れて持ち運ぶことも提案されている。
【０００５】
さらに、下記特許文献２に開示されるように、名刺の画像情報の読取りと表示とが可能であると共に、２台の装置間で名刺情報の送受信もできる携帯型情報端末装置も提案されている。
【先行技術文献】
【特許文献】
【０００６】
【特許文献１】実開平４−６７７５６号公報
【特許文献２】特開２００５−４４１７４号公報
【発明の概要】
【発明が解決しようとする課題】
【０００７】
しかしながら、名刺そのものを保存する場合、大量の名刺を持ち運ぶことは現実的ではない。そのため、たとえば、外出先で取引先に連絡を取りたい場合には、まずは自社に連絡して、名刺や住所録から連絡先を教えてもらうことが必要となる。但し、海外出張などにおいては連絡先を教えてもらうこともままならず、不慣れな場所でゼロから再探索をしなければならず、非常に不便且つ非効率であった。
【０００８】
一方、名刺を電子データにすれば、持ち運びは容易であるが、テキストデータ化する際、文字の打ち込み間違いや、ＯＣＲの文字の誤認識により、誤登録されるおそれが残る。また、名刺に記載の全ての情報を保存できる訳でもない。さらに、画像情報で保存する場合には、最低でも原寸大で表示できなければ、細かい文字が見えないおそれがある。かといって、大きな表示画面を設けたのでは、持ち運びに不都合を生じる。
【０００９】
また、従来のいずれの機器も、名刺入れに入れて持ち運ぶことができなかった。名刺入れに入れておくことができれば、自分の名刺と共に忘れずに持ち運ぶことができるが、名刺入れに入れつつ（つまり名刺と同程度の大きさにしつつ）、名刺を原寸大で表示するのは難しかった。なぜなら、液晶などの表示装置は、画面を構成する表示パネルの周囲に、ドライバと呼ばれる駆動回路が必ず額縁のように配置されているからである。
【００１０】
さらに、名刺には表裏二面に印刷されたものもあり、名刺の裏面には、たとえば会社名、氏名、住所の英文表記、国際電話番号（国番号）、地図などが表示される。従って、英文表記や、氏名の読み、国際電話番号、地図などを知るためには、名刺の裏面も保存できれば好適である。ところが、従来、名刺の表裏二面を名刺現物そのものの感覚で保存し持ち運べるツールはない。
【００１１】
本発明が解決しようとする課題は、名刺を少なくとも画像情報として気軽にコンパクトに持ち運べるようにすることにある。また、特に好ましくは、名刺入れに入れて持ち運ぶことのできる携帯機器を提供することにある。また、好ましくは、名刺の表裏二面を名刺現物そのものの感覚で保存し持ち運べる携帯機器を提供することを課題とする。
【課題を解決するための手段】
【００１２】
本発明は、前記課題を解決するためになされたもので、請求項１に記載の発明は、名刺を画像情報として読み取る読取機器と、この読取機器による前記画像情報を前記名刺の原寸大で表示する表示機器とが別体に構成され、前記表示機器は、前記画像情報を保存する情報記憶部と、前記表示機器の表裏二面に設けられる表示パネルとを備え、前記各表示パネルは、前記名刺に相当する大きさの長方形状とされ、その隣接する二辺から外方へ延出して、それぞれフレキシブルプリント基板が設けられ、前記各表示パネルは、前記隣接する二辺の位置を互いにずらして背中合わせで配置され、前記各フレキシブルプリント基板を前記各表示パネルの裏側へ折り返して、一対の前記表示パネル間の隙間において、前記各表示パネルの駆動回路とそれらに接続される共通の主回路基板とが配置されたことを特徴とする名刺情報保存機器である。
【００１３】
請求項１に記載の発明によれば、読取機器と表示機器とが別体であるから、表示機器の大きさを小さくでき、その表示機器のみを持ち運ぶこともできる。また、表示機器は、少なくとも画像情報として名刺を保存し、その画像情報を原寸大で表示できるので、名刺を事実上、原本で確認することができる。
【００１４】
また、請求項１に記載の発明によれば、名刺に相当する大きさの表示パネルを背中合わせで一対備え、各表示パネルの端辺からのフレキシブルプリント基板を互いに干渉しないよう配置し、各フレキシブルプリント基板を各表示パネルの裏側へ折り返して、各表示パネル間の隙間に駆動回路や主回路基板が配置される。このようにして、名刺を原寸大で表示できる表示機器を、ほぼ名刺の大きさに抑えることができる。これにより、表示機器を名刺入れに入れて持ち運ぶこともできる。
【００１５】
請求項２に記載の発明は、前記表示機器の操作部を側面に設けるか、これに代えてまたはこれに加えて、表裏の前記表示パネルの一方および／または双方にタッチパネルを設けたことを特徴とする請求項１に記載の名刺情報保存機器である。
【００１６】
請求項２に記載の発明によれば、操作部を表示機器の側面に設けるか、表示パネルにタッチパネルが設けられる。これにより、表示機器の表面または裏面において、表示パネルの外周囲に操作部を設けない構成とできる。このようにして、名刺を原寸大で表示できる表示機器を、ほぼ名刺の大きさに抑えることができる。これにより、表示機器を名刺入れに入れて持ち運ぶこともできる。表示機器を名刺入れに入れて持ち運んでも、操作部を側面に設置すれば、誤動作が防止される。
【００１７】
さらに、請求項３に記載の発明は、前記情報記憶部に前記名刺の表面の画像情報と裏面の画像情報とを対応付けて保存しておくことで、表裏の両画像情報を同時に前記各表示パネルに表示することを特徴とする請求項１または請求項２に記載の名刺情報保存機器である。
【００１８】
請求項３に記載の発明によれば、表示機器は表裏二面に表示パネルを備え、名刺の表面と裏面の画像情報を対応付けて表示するので、あたかも名刺の現物を手にしている感覚で、名刺の表裏の各情報を確認できる。
【発明の効果】
【００１９】
本発明によれば、名刺を少なくとも画像情報として気軽にコンパクトに持ち運ぶことができる。また、名刺入れに入れて持ち運ぶことも可能となる。また、名刺の表裏二面を名刺現物そのものの感覚で保存し持ち運ぶことも可能となる。
【図面の簡単な説明】
【００２０】
【図１】本発明の名刺情報保存機器の一実施例を示す概略構成図である。
【図２】図１の名刺情報保存機器の概略ブロック図である。
【図３】図１に示される表示機器の概略縦断面図である。
【図４】図３の表示機器の表裏の表示部を示す概略斜視図である。
【図５】図１に示される表示機器を名刺と共に名刺入れに収納する状態を示す概略斜視図である。
【発明を実施するための形態】
【００２１】
以下、本発明の具体的実施例を図面に基づいて詳細に説明する。
図１は、本発明の名刺情報保存機器１の一実施例を示す概略構成図である。また、図２は、本実施例の名刺情報保存機器１の概略ブロック図である。
【００２２】
本実施例の名刺情報保存機器１は、名刺２を画像情報として読み取る読取機器３と、この読取機器３による画像情報を表示する表示機器４とを、別体に備える。本実施例では、表示機器４は、名刺２と同程度の大きさの長方形状で、カード状に薄い方が好ましい。一方、読取機器３は、後述するようにフラットヘッドタイプのイメージスキャナから構成される場合、表示機器４よりやや大きな長方形状で、表示機器４よりも厚く形成される。表示機器４は、読取機器３とは別体であるが、図１において二点鎖線で示すように、所望により重ねて持ち運ぶこともできる。
【００２３】
読取機器３は、名刺２を画像情報として読み取る読取部５と、インターフェースとしての通信部６、およびこれらを制御する制御部としてのマイコン７の他、駆動用の電源８を備える。電源８は、電池（充電池を含む）でもよいし、ＡＣアダプターを利用してもよい。図１の例では、読取機器３は、ＡＣアダプター用のコネクタ１１を備える。
【００２４】
読取部５は、典型的にはイメージスキャナであるが、所望によりデジタルカメラでもよい。本実施例では、読取部５としてフラットヘッドタイプのイメージスキャナを備える。具体的には、名刺２よりやや大きな原稿台９を備え、この原稿台９に名刺２を載せた状態で、読取センサーを移動させて、名刺２を読み取る。但し、イメージスキャナは、フラットヘッドタイプに限らず、その他のタイプでもよい。たとえば、定位置にある読取センサーに対し、名刺２を自動で送り込んで、名刺２を読み取ってもよい。
【００２５】
一方、読取部５にデジタルカメラを用いる場合、イメージスキャナによる場合と比較して、迅速に名刺２の画像情報を得ることができる。但し、斜めからの撮影にならず、また名刺２以外の背景が不必要に写り込むのを防止しなければならない。さらに、撮影する度に大きさが変わるようでは不都合である。これらを防止するために、たとえば中空ボックス状の治具を用いて、その対面する一方の面に名刺２を配置する一方、他方の面にカメラのレンズを配置するなどして、常に同じ大きさで歪みのない画像を取得できるようにするのがよい。
【００２６】
読取部５がイメージスキャナまたはデジタルカメラのいずれの場合も、両面に表示がされた名刺２の場合は、表面の読み取りに続き、裏面の読み取りを行い、表面の画像情報と裏面の画像情報とは対応付けて保存される。
【００２７】
通信部６は、表示機器４またはパーソナルコンピュータ（以下、パソコンという）１０などを接続するためのインターフェースである。その具体的構成は、特に問わないが、たとえばＵＳＢミニ規格に適合した接続口１２を備えて構成される。但し、読取機器３と表示機器４またはパソコン１０との接続は、有線接続に限らず無線接続でもよい。
【００２８】
マイコン７は、読取部５から名刺２の画像情報を取得して、その画像情報を、通信部６を介して表示機器４またはパソコン１０へ送る。表示機器４またはパソコン１０は、読取機器３からの画像情報を情報記憶部１３，１４に保存する。この情報記憶部１３，１４は、表示機器４またはパソコン１０に内蔵のものであってもよいし、表示機器４またはパソコン１０に着脱可能に設けられるＳＤメモリーカード（SD Memory Card）のような可搬性記憶媒体であってもよい。
【００２９】
なお、所望により読取機器３自体にも情報記憶部（図示省略）を設けてもよい。この情報記憶部は、読取機器３に内蔵のものであってもよいし、読取機器３に着脱可能に設けられるＳＤメモリーカードのような可搬性記憶媒体であってもよい。いずれの場合も、読取部５からの画像情報を一旦、読取機器３の情報記憶部に保存して、所望により表示機器４またはパソコン１０へ転送することができる。その際、ＳＤメモリーカードのような可搬性記憶媒体であれば、読取部５からの画像情報をその記憶媒体に書き込み、その記憶媒体を読取機器３から取り外して、表示機器４やパソコン１０のスロットに挿入して、表示機器４やパソコン１０において名刺２の画像情報を利用できる。
【００３０】
表示機器４は、読取機器３により取得した画像情報を保存する情報記憶部１３と、この情報記憶部１３内の画像情報などを表示する表示部１５と、インターフェースとしての通信部１６、およびこれらを制御する制御部としてのマイコン１７の他、駆動用の電池１８を備える。本実施例では、表示部１５は、表示機器４の表裏二面に設けられる。つまり、表示機器４には、表面に表示部１５ａが設けられる一方、裏面にも表示部１５ｂが設けられる。
【００３１】
情報記憶部１３は、表示機器４に内蔵されてもよいし、ＳＤメモリーカードのように、表示機器に着脱可能に設けられる可搬性記憶媒体でもよい。
【００３２】
各表示部１５（１５ａ，１５ｂ）は、情報記憶部１３に保存された画像情報などを表示するものであり、典型的には液晶ディスプレイ（ＬＣＤ）、電子ペーパーまたは有機エレクトロルミネッセンス（有機ＥＬ）から構成される。なお、表示は、モノクロでもよいし、カラーでもよい。これに伴い、読取機器３において、名刺２をモノクロで読み込むか、カラーで読み込むかが設定される。
【００３３】
通信部１６は、読取機器３またはパソコン１０などを接続するためのインターフェースである。その具体的構成は、特に問わないが、たとえばＵＳＢミニ規格に適合した接続口を備えて構成される。この通信部１６を利用して、表示機器４と読取機器３などとを直接にまたはケーブルを介して接続することで、読取部５からの画像情報を表示機器４の情報記憶部１３に保存することができる。但し、上述したように、読取機器３による画像情報を読取機器３またはパソコン１０において、一旦、ＳＤメモリーカードのような可搬性記憶媒体に保存して、その記憶媒体を表示機器４に装着してもよい。また、表示機器４と読取機器３またはパソコン１０との接続は、有線接続に限らず無線接続でもよい。
【００３４】
マイコン１７は、読取機器３またはパソコン１０から、名刺２の画像情報を取得して情報記憶部１３に保存する。また、マイコン１７は、表裏の表示部１５ａ，１５ｂの表示パネル１９ａ，１９ｂに画像や文字などを表示する。特に、情報記憶部１３に保存された名刺２の画像情報を、表裏の表示部１５ａ，１５ｂの表示パネル１９ａ，１９ｂ内、少なくとも一方の表示パネルに表示する。また、マイコン１７は、操作部２４の操作に応じて、名刺２の画像などを切り替える。
【００３５】
図３は、本実施例の表示機器４の概略縦断面図である。また、図４は、本実施例の表示機器４の表示部１５ａ，１５ｂの一例を示す概略斜視図である。
【００３６】
表示機器４は、その表裏二面に表示部１５ａ，１５ｂを備える。各表示部１５（１５ａ，１５ｂ）は、画像情報を表示する板状の表示パネル１９（１９ａ，１９ｂ）を備える。各表示パネル１９は、画像の表示面として機能するもので、たとえば表示部１５が液晶ディスプレイから構成される場合は液晶パネルに相当する。
【００３７】
表示機器４の表裏二面に設けられる各表示パネル１９は、情報記憶部１３に保存された名刺２の画像情報を、名刺２の原寸大で表示するために、名刺２よりも大きければ足りるが、名刺２に相当する大きさの長方形状とされるのが好ましい。表裏の各表示パネル１９は、典型的には同一の形状および大きさとされる。
【００３８】
各表示パネル１９について説明すると、表示パネル１９に画像を表示するために、表示パネル１９の各画素に信号を送る必要がある。この制御は、通常、横方向の行（Ｘ軸）と、縦方向の列（Ｙ軸）とに分けてなされる。そのために、従来は、長方形状の表示パネル１９の隣接する二辺に連続したＬ字状に、表示パネル１９と一体的で硬質な板状の周辺回路部が設けられ、この周辺回路部に表示パネル１９のドライバとなる駆動回路が設けられていた。そして、このようにして表示パネル１９の表側に残る駆動回路と、表示パネル１９の裏側に配置される主回路基板とを接続していた。そのため、従来は、表示パネル１９の周囲には、必ず額縁が残るものであった。
【００３９】
これに対し、本発明では、表示パネル１９の端辺からはフレキシブルプリント基板２０を延出させ、このフレキシブルプリント基板２０を表示パネル１９の裏側へ折り返して、表示パネル１９の裏側に、表示パネル１９の駆動回路２１や主回路基板２２が配置される。
【００４０】
より具体的に説明すると、典型的には、長方形状の表示パネル１９の隣接する二辺から外方へ延出して、それぞれフレキシブルプリント基板２０が設けられ、このフレキシブルプリント基板２０に表示パネル１９の駆動回路２１が設けられる。そして、フレキシブルプリント基板２０を表示パネル１９の裏側へ折り返して、表示パネル１９の裏側において、駆動回路２１とそれに接続される主回路基板２２とが配置される。
【００４１】
特に、フレキシブルプリント基板２０を表示パネル１９の外周縁において表示パネル１９の裏側へ折り返して、表示パネル１９の裏側において、駆動回路２１とそれに接続される主回路基板２２とを配置するのがよい。これにより、表示パネル１９の周囲の額縁をほぼ無くすことができる。
【００４２】
表示パネル１９の端辺から延出するフレキシブルプリント基板２０には、表示パネル１９の駆動回路２１が設けられると共に、主回路基板２２へのコネクタが設けられる。従って、このコネクタが主回路基板２２に接続されて使用される。なお、主回路基板２２には、前記マイコン１７が設けられる。
【００４３】
表裏の表示パネル１９ａ，１９ｂは、背中合わせで配置される。この際、フレキシブルプリント基板２０が設けられる二辺の位置を互いにずらして背中合わせで配置するのが好ましい。たとえば、図４に示すように、一方の表示パネル１９ａは、上方へ表示面を配置して、その左端辺と前端辺とからフレキシブルプリント基板２０，２０を延出する一方、他方の表示パネル１９ｂは、下方へ表示面を配置して、その右端辺と後端辺とからフレキシブルプリント基板２０，２０を延出する。そして、各フレキシブルプリント基板２０を各表示パネル１９の外周縁において各表示パネル１９の裏側（表示面と反対側）へ折り返して、一対の表示パネル１９ａ，１９ｂ間の隙間において、表示パネル１９ａ，１９ｂの駆動回路２１ａ，２１ｂとそれらに接続される共通の主回路基板２２とが配置される。
【００４４】
このようにして、表裏の表示パネル１９ａ，１９ｂ間に主回路基板２２だけでなく、表示パネル１９ａ，１９ｂの駆動回路２１ａ，２１ｂも配置した状態で、これらはケース２３で覆われる。その際、ケース２３は、表示パネル１９ａ，１９ｂの外周縁のみを覆うだけである。そのため、ケース２３の表裏の各面には、それぞれ表示パネル１９ａ，１９ｂが露出する。ケース２３は、ほぼ表示パネル１９ａ，１９ｂの大きさに抑えられる。
【００４５】
表示機器４には、電源のオンオフや、名刺２の画像情報の送りや戻りなどを行うために、ボタンなどの各種の操作部２４が設けられる。これら操作部２４は、表示機器４の表面ではなく、側面に設けるのがよい。この際、表示パネル１９から延出するフレキシブルプリント基板２０が邪魔にならないように、フレキシブルプリント基板２０は表示パネル１９から延出するに従って幅方向一方へ寄せるなど、フレキシブルプリント基板２０の形状を調整すればよい。
【００４６】
また、同様にフレキシブルプリント基板２０の形状を調整して、表示機器４の電池（典型的にはボタン電池）も、表示機器４の側面から着脱可能とするのがよい。さらに、表示機器４と読取機器３またはパソコン１０を接続するための接続端子や、ＳＤメモリーカードのような可搬性記憶媒体が着脱可能に設けられるスロットも、表示機器４の側面に設けるのがよい。
【００４７】
表示機器４の側面に操作部２４を設けることに代えてまたはこれに加えて、表裏の表示パネル１９ａ，１９ｂの一方または双方にタッチパネルを設けて、このタッチパネルを操作部としてもよい。この場合、画面を指やペンで触れて表示機器４を操作することができる。そのため、表示機器４の側面に設ける操作部２４を無くすか少なくすることができ、表示機器４の一層のコンパクト化を図ることができる。
【００４８】
ところで、図３に示すように、フレキシブルプリント基板２０を表示パネル１９の裏側に折り返した状態で、フレキシブルプリント基板２０の内、それが接続された表示パネル１９の側となる面に駆動回路２１を設ければ、狭い範囲でフレキシブルプリント基板２０の折り曲げを最小限に抑えることができる。
【００４９】
また、図４に示すように、フレキシブルプリント基板２０は、表示パネル１９の隣接する二辺から延出するが、それぞれ、表示パネル１９の端辺と同じかそれより短い幅で延出する。また、表示パネル１９の各辺から延出するフレキシブルプリント基板２０同士は、互いに分離して個別に設けるのがよい。この場合、表示パネル１９の前記二辺の角部と対応した位置Ｃにフレキシブルプリント基板２０が来るのを防止できる。このようにして、フレキシブルプリント基板２０を表示パネル１９の裏側に容易に折り返すことができる。
【００５０】
さらに、各フレキシブルプリント基板２０を表示パネル１９の裏側に折り返した際に、各フレキシブルプリント基板２０に設置の駆動回路２１同士が互いに重ならないように、各フレキシブルプリント基板２０に対する駆動回路２１の設置位置が調整される。同様に、駆動回路２１と主回路基板２２などの各部品はできるだけ重ならないように構成するのがよい。
【００５１】
このようにして、表示機器４の大きさは、表示パネル１９の大きさ、つまり名刺２に相当する大きさに抑えられる。表示機器４の具体的な大きさは、適宜に変更可能ではあるが、名刺２の大きさが長さ９１ｍｍで幅５５ｍｍが一般的であることを考慮し、長さ９１〜９５ｍｍ、幅５５〜５７ｍｍとされ、厚さは５ｍｍ以下が好ましい。
【００５２】
表示機器４を名刺２に相当する大きさに抑えることで、図５に示すように、表示機器４を名刺入れ２５に入れて持ち運ぶことができる。これにより、外出先においても、取引先などの連絡先を容易に取得することができ、不意の連絡にも対応することができる。表示機器４を名刺入れ２５に入れて持ち運ぶ際、名刺２に挟まれても、表示機器４の側面に操作部２４を設けていれば、より確実に誤動作を防止することができる。
【００５３】
なお、表示部１５に電子ペーパーを用いれば、画面を切り替えない限り電力を消費せず、特定の名刺を表示させたままとできるので、たとえば連絡先住所や電話番号または名刺に記載の地図を表示したまま長時間利用できる。
【００５４】
ところで、読取機器３において読み取られた画像情報は、読取順に表示機器４の情報記憶部１３に保存されるか、読取年月日（スキャン日時）などと対応付けられて情報記憶部１３に保存される。あるいは、読取機器３またはパソコン１０において、名刺交換日（その名刺の取得日）を入力し、その名刺交換日と画像情報とを対応付けられて保存されてもよい。あるいは、名刺２の画像情報は、名刺２に記載の会社名および氏名などの名刺記載情報と対応付けられて情報記憶部１３に保存される。この場合の名刺記載情報の取得は、ＯＣＲソフトにより行うこともできる。
【００５５】
そして、表示機器４は、読取順などで表示パネル１９に順次、名刺２を表示する。また、操作部２４から指定される読取年月日、または会社名もしくは氏名などの名刺記載情報に基づき、情報記憶部１３から所望の名刺２の画像情報を取得して、その名刺２の画像情報を表示パネル１９に表示するようにしてもよい。
【００５６】
また、読取機器３において読み取った名刺２の画像情報をパソコン１０に送り、パソコン１０のＯＣＲにより文字を認識し、名刺２の会社名、住所、氏名などをテキストデータとして抽出し、それを用いて住所録として管理することもできる。そして、その情報を表示機器４に送って利用してもよい。その場合、会社名および／または氏名などに基づき名刺記載情報を検索し、それを表示すると共に、各名刺記載情報と対応して保存しておいた名刺２の画像情報を表示するのがよい。
【００５７】
本実施例の場合、表裏二面に表示パネル１９，１９を備えるので、情報記憶部１３に、名刺２の表面の画像情報と裏面の画像情報とを対応付けて保存しておくことで、表裏の両画像情報を同時に各表示パネル１９に表示させることもできる。つまり、一方の表示パネル１９ａには名刺２の表面の画像を表示しつつ、他方の表示パネル１９ｂには名刺２の裏面の画像を表示させることができる。従って、名刺２の表面の会社名、氏名、住所や電話番号の他、同じ名刺２の裏面の英文表記や地図などを同時に表示して、あたかも名刺現物を見ているように使用することができる。但し、表裏二面の表示パネル１９，１９の内、一方を名刺２の画像情報の表示用とし、他方をタッチパネルからなる操作部としてもよい。
【００５８】
本発明の名刺情報保存機器１は、前記実施例の構成に限らず適宜変更可能である。特に、前記実施例では、表示機器４では名刺２の画像情報のみを表示可能としたが、所望によりそれ以外の情報を表示してもよいことは言うまでもない。また、前記実施例において、読取機器３は、所望により、パソコン１０に接続された市販のイメージスキャナであってもよい。
【００５９】
また、表示機器４は、表裏に表示パネル１９，１９を備えたが、常に表裏二面に情報を表示させる必要はなく、所望によりいずれか一方の表示パネル１９への表示をしなくてもよい。たとえば、裏面に印刷のない名刺２を表示する場合には、その間だけ裏面側表示用の表示パネル１９への通電をしなくてもよい。これにより、表示機器４の電池１８の消耗を抑えることができる。
【符号の説明】
【００６０】
１  名刺情報保存機器
２  名刺
３  読取機器
４  表示機器
５  読取部
６  （読取機器の）通信部
７  （読取機器の）マイコン
８  電源
９  原稿台
１０  パソコン
１１  ＡＣアダプター用のコネクタ
１２  接続口
１３  （表示機器の）情報記憶部
１４  （パソコンの）情報記憶部
１５  表示部
１６  （表示機器の）通信部
１７  （表示機器の）マイコン
１８  電池
１９  表示パネル
２０  フレキシブルプリント基板
２１  駆動回路
２２  主回路基板
２３  ケース
２４  操作部
２５  名刺入れ
【図１】
2011186128.tif 000003
【図２】
2011186128.tif 000004
【図３】
2011186128.tif 000005
【図４】
2011186128.tif 000006
【図５】
2011186128.tif 000007